(57)【要約】【課題】ソリッドダイスと組ダイスの双方の特長を備えた平角エナメル線用塗装ダイス及び当該ダイスを用いた平角エナメル線の製造方法を提供する。【解決手段】平角エナメル線用塗装ダイス１０は、平角導体線１の周囲に絶縁塗料を塗布するための塗装ダイスであって、平角導体線１の角部に対向するコーナーＲ部を有する２つ以上の第１のダイス片１１と、平角導体線１のフラット部に対向するフラット部を有する２つ以上の第２のダイス片１２，１３とを備え、第１のダイス片１１及び第２のダイス片１２，１３は、互いに着脱可能に組み立てられて、平角導体線１を挿通させるダイス孔を形成している。【選択図】図１
2016021306.tif 000002
【特許請求の範囲】
【請求項１】
平角導体線の周囲に絶縁塗料を塗布するための塗装ダイスであって、
前記平角導体線の角部に対向するコーナーＲ部を有する２つ以上の第１のダイス片と、前記平角導体線のフラット部に対向するフラット部を有する２つ以上の第２のダイス片とを備え、
前記第１のダイス片及び前記第２のダイス片は、互いに着脱可能に組み立てられて、前記平角導体線を挿通させるダイス孔を形成している平角エナメル線用塗装ダイス。
【請求項２】
前記第１のダイス片を４つ及び前記第２のダイス片を４つ備えることを特徴とする請求項１に記載の平角エナメル線用塗装ダイス。
【請求項３】
前記第１のダイス片を２つ及び前記第２のダイス片を２つ備えることを特徴とする請求項１に記載の平角エナメル線用塗装ダイス。
【請求項４】
前記第２のダイス片は、前記ダイス孔を形成する面に設けられた複数の突起を有する請求項１〜３のいずれか１項に記載の平角エナメル線用塗装ダイス。
【請求項５】
前記第１のダイス片は、前記ダイス孔を形成する面に設けられた複数の突起を有する請求項１〜４のいずれか１項に記載の平角エナメル線用塗装ダイス。
【請求項６】
請求項１〜５のいずれか１項に記載の平角エナメル線用塗装ダイスを用いて、平角導体線の周囲に絶縁塗料を塗布する工程を含む平角エナメル線の製造方法。
【発明の詳細な説明】
【技術分野】
【０００１】
本発明は、平角エナメル線用塗装ダイス及び平角エナメル線の製造方法に関する。
【背景技術】
【０００２】
平角導体線の周囲に絶縁塗料を塗布するための塗装ダイスとしては、ソリッドダイスと組ダイスが知られている。
【０００３】
ソリッドダイスは、ダイス孔の形状・寸法が固定されているものであるから、ダイス孔と塗布される導体線との間の隙間を高精度に制御することができ、絶縁塗料を均等に導体線の周囲に塗布することができる特長がある（例えば特許文献１参照）。しかし、サイズ（厚さ・幅・面取りＲ）に合わせて一品一様で作製しなければならないため、製造コストが高くなり、かつ短納期に対応することが難しいという欠点がある。
【０００４】
一方、組ダイスは、ダイス部品を組み合わせる際にダイス主部と挿入孔との挿入量を調整することによって、１組（４個）のダイス部品で様々な寸法の平角導体線に対応できる特長を有している。すなわち、サイズに合わせて一品一様で作製する必要が無いため、製造コストを抑えることができ、かつ短納期への対応が可能である。また、分解組立が容易であることから、平角導体線を切断せずにダイス交換が可能である利点も有する（例えば特許文献２参照）。しかし、塗料塗布量が導体線の周方向で（特に角部で）不均一になってしまう欠点がある。
【０００５】
また、ソリッドダイスの利点に分解組立が可能という組ダイスの利点を加えた塗装ダイスとして、分割型塗装ダイスが特許文献３に提案されている。
【先行技術文献】
【特許文献】
【０００６】
【特許文献１】特開２０１１−１４２０３０号公報
【特許文献２】特開２０１３−２０７４２号公報
【特許文献３】特開２０１３−１６１６７５号公報
【発明の概要】
【発明が解決しようとする課題】
【０００７】
しかし、特許文献３によれば、様々な寸法の平角導体線に対応するには、ソリッドダイス同様、サイズに合わせて一品一様で作製する必要がある。
【０００８】
そこで、本発明の目的は、ソリッドダイスと組ダイスの双方の特長を備えた平角エナメル線用塗装ダイス及び当該ダイスを用いた平角エナメル線の製造方法を提供することにある。
【課題を解決するための手段】
【０００９】
本発明は、上記目的を達成するために、下記の平角エナメル線用塗装ダイス及び平角エナメル線の製造方法を提供する。
【００１０】
［１］平角導体線の周囲に絶縁塗料を塗布するための塗装ダイスであって、前記平角導体線の角部に対向するコーナーＲ部を有する２つ以上の第１のダイス片と、前記平角導体線のフラット部に対向するフラット部を有する２つ以上の第２のダイス片とを備え、前記第１のダイス片及び前記第２のダイス片は、互いに着脱可能に組み立てられて、前記平角導体線を挿通させるダイス孔を形成している平角エナメル線用塗装ダイス。
［２］前記第１のダイス片を４つ及び前記第２のダイス片を４つ備えることを特徴とする前記［１］に記載の平角エナメル線用塗装ダイス。
［３］前記第１のダイス片を２つ及び前記第２のダイス片を２つ備えることを特徴とする前記［１］に記載の平角エナメル線用塗装ダイス。
［４］前記第２のダイス片は、前記ダイス孔を形成する面に設けられた複数の突起を有する前記［１］〜［３］のいずれか１つに記載の平角エナメル線用塗装ダイス。
［５］前記第１のダイス片は、前記ダイス孔を形成する面に設けられた複数の突起を有する前記［１］〜［４］のいずれか１つに記載の平角エナメル線用塗装ダイス。
［６］前記［１］〜［５］のいずれか１つに記載の平角エナメル線用塗装ダイスを用いて、平角導体線の周囲に絶縁塗料を塗布する工程を含む平角エナメル線の製造方法。
【発明の効果】
【００１１】
本発明によれば、ソリッドダイスと組ダイスの双方の特長を備えた平角エナメル線用塗装ダイス及び当該ダイスを用いた平角エナメル線の製造方法を提供することができる。
【図面の簡単な説明】
【００１２】
【図１】本発明の第１の実施の形態に係る平角エナメル線用塗装ダイス（平角導体線がダイス孔に挿通されている状態）の横断面図である。
【図２】図１の上面図である。
【図３】図１の変形例を示す横断面図である。
【図４】本発明の第２の実施の形態に係る平角エナメル線用塗装ダイス（平角導体線がダイス孔に挿通されている状態）の横断面図である。
【図５】本発明の第３の実施の形態に係る平角エナメル線用塗装ダイス（平角導体線がダイス孔に挿通されている状態）の横断面図である。
【発明を実施するための形態】
【００１３】
〔平角エナメル線用塗装ダイス〕
本発明の実施の形態に係る平角エナメル線用塗装ダイスは、平角導体線の周囲に絶縁塗料を塗布するための塗装ダイスであって、前記平角導体線の角部に対向するコーナーＲ部を有する２つ以上の第１のダイス片と、前記平角導体線のフラット部に対向するフラット部を有する２つ以上の第２のダイス片とを備え、前記第１のダイス片及び前記第２のダイス片は、互いに着脱可能に組み立てられて、前記平角導体線を挿通させるダイス孔を形成していることを特徴とする。ここで、「対向する」とは、ダイス孔に平角導体線を挿通させた際に対向することを意味する。
【００１４】
（第１の実施形態）
図１は、本発明の第１の実施の形態に係る平角エナメル線用塗装ダイス（平角導体線がダイス孔に挿通されている状態）の横断面図である。また、図２は、図１の上面図である。
【００１５】
本発明の第１の実施の形態に係る平角エナメル線用塗装ダイス１０は、平角導体線１の角部に対向するコーナーＲ部を有する４つの第１のダイス片１１と、平角導体線１のフラット部に対向するフラット部を有する４つの第２のダイス片１２，１３とを備え、第１のダイス片１１及び第２のダイス片１２，１３は、互いに着脱可能に組み立てられて、平角導体線１を挿通させるダイス孔を形成している。
【００１６】
４つの第１のダイス片１１はそれぞれ、平角導体線１の４つの角部のそれぞれに対向するコーナーＲ部を有する。４つの第１のダイス片１１の形状は同一であり、それぞれのコーナーＲ部の曲率半径は同一である。様々な平角導体線１の角部の形状に応えるために、異なる曲率半径のコーナーＲ部を有する第１のダイス片１１を複数種類、用意しておくことが望ましい。
【００１７】
第２のダイス片は、平角導体線１の幅方向のフラット部に対向する２つのダイス片１２と、平角導体線１の厚み方向のフラット部に対向する２つのダイス片１３とからなる。第２のダイス片は、曲部（コーナーＲ部の一部）を有さずに、フラット部のみからなることが望ましい。２つのダイス片１２の長さは同一であり、２つのダイス片１３の長さも同一である。様々な平角導体線１の幅・厚さに応えるために、異なる長さのフラット部を有する第２のダイス片１２，１３を複数種類、用意しておくことが望ましい。
【００１８】
第１のダイス片１１及び第２のダイス片１２，１３は、互いに着脱可能に組み立てられることにより、平角導体線１を挿通させる矩形状（四隅がＲ形状）のダイス孔を形成している。組み立ての手段は、特に限定されることなく、種々の手段を採り得る。例えば、図２に示されるように、第１のダイス片１１に形成された蟻溝１１ａに、第２のダイス片１２に形成された蟻ほぞ１２ａを嵌め込むことにより組み立て可能である。同様に、第１のダイス片１１に形成された蟻溝１１ａに、第２のダイス片１３に形成された蟻ほぞ１３ａを嵌め込むことにより組み立て可能である（図示なし）。逆に、第１のダイス片１１に蟻ほぞを形成し、第２のダイス片１２，１３に蟻溝を形成する構成としてもよい。
【００１９】
図３は、図１の変形例を示す横断面図である。
第１の実施の形態の変形例に係る平角エナメル線用塗装ダイス２０は、第２のダイス片１２，１３がダイス孔を形成する面に設けられた複数の突起２１を有する点において上記第１の実施の形態に係る平角エナメル線用塗装ダイス１０と相違する。
【００２０】
突起２１は、第２のダイス片１２、第２のダイス片１３のどちらかだけに設けてもよい。突起２１の形状、高さ、設置位置、個数は、特に限定されるものではなく、適宜、調整可能である。例えば、前述の特許文献１（特開２０１１−１４２０３０号公報）に開示の実施形態を採用可能である。第１のダイス片１１の方へ突起２１を設けることもできるが、第２のダイス片１２，１３の方に設けることが好ましい。
【００２１】
（第２の実施形態）
図４は、本発明の第２の実施の形態に係る平角エナメル線用塗装ダイス（平角導体線がダイス孔に挿通されている状態）の横断面図である。
【００２２】
本発明の第２の実施の形態に係る平角エナメル線用塗装ダイス３０は、平角導体線１の角部に対向するコーナーＲ部を有する２つの第１のダイス片３１と、平角導体線１のフラット部に対向するフラット部を有する２つの第２のダイス片１２とを備え、第１のダイス片３１及び第２のダイス片１２は、互いに着脱可能に組み立てられて、平角導体線１を挿通させるダイス孔を形成している。
【００２３】
第１のダイス片３１は、前述の第１の実施形態における２つの第１のダイス片１１とその間に位置する第２のダイス片１３とを一体化させたものである。その他の点は、第１の実施形態と同様である。
【００２４】
第２の実施の形態に係る平角エナメル線用塗装ダイス３０は、厚み方向の長さが変えられない点で第１の実施形態よりも自由度が劣るが、組み立て点数が少ない点においては第１の実施形態に勝る。
【００２５】
第１の実施の形態の変形例に係る平角エナメル線用塗装ダイス２０と同様に、ダイス孔を形成する面に複数の突起を設けることができる。この場合、第１のダイス片３１及び／又は第２のダイス片１２に設けることができ、第１のダイス片３１においては、そのフラット部（第２のダイス片１３相当部分）に設けることが好ましい。
【００２６】
（第３の実施形態）
図５は、本発明の第３の実施の形態に係る平角エナメル線用塗装ダイス（平角導体線がダイス孔に挿通されている状態）の横断面図である。
【００２７】
本発明の第３の実施の形態に係る平角エナメル線用塗装ダイス４０は、平角導体線１の角部に対向するコーナーＲ部を有する２つの第１のダイス片４１と、平角導体線１のフラット部に対向するフラット部を有する２つの第２のダイス片１３とを備え、第１のダイス片４１及び第２のダイス片１３は、互いに着脱可能に組み立てられて、平角導体線１を挿通させるダイス孔を形成している。
【００２８】
第１のダイス片４１は、前述の第１の実施形態における２つの第１のダイス片１１とその間に位置する第２のダイス片１２とを一体化させたものである。その他の点は、第１の実施形態と同様である。
【００２９】
第３の実施の形態に係る平角エナメル線用塗装ダイス４０は、幅方向の長さが変えられない点で第１の実施形態よりも自由度が劣るが、組み立て点数が少ない点においては第１の実施形態に勝る。
【００３０】
第１の実施の形態の変形例に係る平角エナメル線用塗装ダイス２０と同様に、ダイス孔を形成する面に複数の突起を設けることができる。この場合、第１のダイス片４１及び／又は第２のダイス片１３に設けることができ、第１のダイス片４１においては、そのフラット部（第２のダイス片１２相当部分）に設けることが好ましい。
【００３１】
〔平角エナメル線の製造方法〕
本発明の実施形態に係る平角エナメル線の製造方法は、本発明の実施形態に係る上記平角エナメル線用塗装ダイスを用いて、平角導体線の周囲に絶縁塗料を塗布する工程を含むことを特徴とする。本発明の実施形態に係る上記平角エナメル線用塗装ダイスを用いる点以外は従来と同様の方法により平角エナメル線を製造できる。
【００３２】
〔本発明の実施形態の効果〕
本発明の実施形態によれば、ソリッドダイスと組ダイスの双方の特長を備えた平角エナメル線用塗装ダイス及び当該ダイスを用いた平角エナメル線の製造方法を提供できる。具体的には、絶縁塗料を均等に平角導体線の周囲に塗布することができ、かつ第１のダイス片と第２のダイス片とを組み合わせることで色々なサイズの平角導体線に対応できる。また、ソリッドダイスに比べて、様々な形状を有する平角導体線に対応するためのダイスの製造コストを抑えることができ、短納期への対応も可能となる。また、分解組立が容易であることから、平角導体線を切断せずにダイス交換が可能である。さらに、第１のダイス片及び／又は第２のダイス片に突起を設けることにより、塗料塗布量を部分的に調整できる。
【００３３】
なお、本発明は、上記実施の形態に限定されず種々に変形実施が可能である。
【符号の説明】
【００３４】
１：平角導体線
１０，２０，３０，４０：ダイス（平角エナメル線用塗装ダイス）
１１，３１，４１：第１のダイス片、１２，１３：第２のダイス片
１１ａ：蟻溝、１２ａ：蟻ほぞ、２１：突起
【図１】
2016021306.tif 000003
【図２】
2016021306.tif 000004
【図３】
2016021306.tif 000005
【図４】
2016021306.tif 000006
【図５】
2016021306.tif 000007